(57)【要約】【課題】記録媒体の収容体（ロール紙等）を使用するインクジェットプリンタにおいて、（１）様々な記録媒体の収容体を交換して使用しても、記録媒体の収容体の種類を自動的に認識する。（２）様々な記録媒体の収容体を交換して使用しても、記録媒体の収容体の推奨するプリント条件を自動的に認識する。（３）記録媒体の収容体を使用途中で交換することがあっても、記録媒体の収容体の使用期限を自動的に認識する。【解決手段】記録媒体の収容体を使用するインクジェットプリンタにおいて、記録媒体の（１）種類又は（２）推奨する記録条件又は（３）使用期限に関する情報を記憶する記憶手段を有する記録媒体の収容体と、その情報をプリンタに送信する無線通信回路とを有し、プリンタは、この情報を受取る無線通信回路を有している。【選択図】　　　　図１
2004122726.tif 000002
【特許請求の範囲】
【請求項１】
記録装置で使用される記録媒体を収容している記録媒体の収容体であって、
前記記録媒体の使用期限に関する情報を記憶する記憶手段と、
前記記憶手段に記憶されている前記情報を記録装置本体に送信する送信手段と、
を有することを特徴とする記録媒体の収容体。
【請求項２】
記録装置で使用される記録媒体を収容している記録媒体の収容体であって、
前記記録媒体の種類に関する情報を記憶する記憶手段と、
前記記憶手段に記憶されている前記情報を記録装置本体に送信する送信手段と、
を有することを特徴とする記録媒体の収容体。
【請求項３】
前記送信手段は、前記記録装置からの送信要求に応じて前記情報を送信することを特徴とする請求項１又は２に記載の記録媒体の収容体。
【請求項４】
前記記録媒体はロール紙であることを特徴とする請求項１又は２又は３に記載の記録媒体の収容体。
【請求項５】
外部機器から記録に使用する画像データを入力する入力手段と、
収容している記録媒体の使用期限に関する情報を記憶する記憶手段を有する記録媒体の収容体と、
前記記録媒体の収容体を着脱可能に取付けた状態で、前記記憶手段から前記情報を取得する取得手段と、
前記取得手段により取得した前記情報に基づいて前記画像データを編集して記録用の記録データを生成する生成手段と、
前記生成手段により生成された前記記録データに基づいて記録ヘッドを駆動して記録を行う記録制御手段と、
を有することを特徴とする記録装置。
【請求項６】
外部機器から記録に使用する画像データを入力する入力手段と、
収容している記録媒体の種類に関する情報を記憶する記憶手段を有する記録媒体の収容体と、
前記記録媒体の収容体を着脱可能に取付けた状態で、前記記憶手段から前記情報を取得する取得手段と、
前記取得手段により取得した前記情報に基づいて前記画像データを編集して記録用の記録データを生成する生成手段と、
前記生成手段により生成された前記記録データに基づいて記録ヘッドを駆動して記録を行う記録制御手段と、
を有することを特徴とする記録装置。
【請求項７】
外部機器から記録に使用する画像データを入力する入力手段と、
収容している記録媒体に推奨する記録条件に関する情報を記憶する記憶手段を有する記録媒体の収容体と、
前記記録媒体の収容体を着脱可能に取付けた状態で、前記記憶手段から前記情報を取得する取得手段と、
前記取得手段により取得した前記情報に基づいて前記画像データを編集して記録用の記録データを生成する生成手段と、
前記生成手段により生成された前記記録データに基づいて記録ヘッドを駆動して記録を行う記録制御手段と、
を有することを特徴とする記録装置。
【請求項８】
前記取得手段は、
前記記憶手段に記憶されている前記情報を記録装置本体に送信する送信手段と、
前記送信手段により送信された情報を受信する受信手段とを備えることを特徴とする請求項５又は６又は７に記載の記録装置。
【請求項９】
前記送信手段と前記受信手段は、互いに無線により通信することを特徴とする請求項８に記載の記録装置。
【請求項１０】
前記送信手段と前記受信手段は、互いにシリアル信号により通信することを特徴とする請求項８に記載の記録装置。
【請求項１１】
前記記録ヘッドはインクジェットヘッドであることを特徴とする請求項５乃至１０のいずれか１項に記載の記録装置。
【請求項１２】
記録媒体を収容し、前記記録媒体の使用期限に関する情報を記憶するメモリを有する収容体を装着し、該収容体に収容されている記録媒体に画像を記録する記録装置による制御方法であって、
外部機器から記録に使用する画像データを入力する入力工程と、
前記収容体を着脱可能に前記記録装置本体に取付けた状態で、前記メモリから前記情報を取得する取得工程と、
前記取得工程で取得した前記情報に基づいて前記画像データを編集して記録用の記録データを生成する生成工程と、
前記生成工程で生成された前記記録データに基づいて記録ヘッドを駆動して記録を行う記録制御工程と、
を有することを特徴とする記録装置による制御方法。
【請求項１３】
記録媒体を収容し、前記記録媒体の種類に関する情報を記憶するメモリを有する収容体を装着し、該収容体に収容されている記録媒体に画像を記録する記録装置による制御方法であって、
外部機器から記録に使用する画像データを入力する入力工程と、
前記収容体を着脱可能に前記記録装置本体に取付けた状態で、前記メモリから前記情報を取得する取得工程と、
前記取得工程で取得した前記情報に基づいて前記画像データを編集して記録用の記録データを生成する生成工程と、
前記生成工程で生成された前記記録データに基づいて記録ヘッドを駆動して記録を行う記録制御工程と、
を有することを特徴とする記録装置による制御方法。
【請求項１４】
記録媒体を収容し、前記記録媒体に推奨する記録条件に関する情報を記憶するメモリを有する収容体を装着し、該収容体に収容されている記録媒体に画像を記録する記録装置による制御方法であって、
外部機器から記録に使用する画像データを入力する入力工程と、
前記収容体を着脱可能に前記記録装置本体に取付けた状態で、前記メモリから前記情報を取得する取得工程と、
前記取得工程で取得した前記情報に基づいて前記画像データを編集して記録用の記録データを生成する生成工程と、
前記生成工程で生成された前記記録データに基づいて記録ヘッドを駆動して記録を行う記録制御工程と、
を有することを特徴とする記録装置による制御方法。
【請求項１５】
記録媒体を収容し、前記記録媒体の使用期限に関する情報を記憶するメモリを有する収容体を装着し、該収容体に収容されている記録媒体に画像を記録する記録装置を制御する記録制御方法であって、
前記収容体を着脱可能に前記記録装置本体に取付けた状態で前記記録装置から前記情報を取得する取得工程と、
前記取得工程で取得した前記情報に基づいて前記画像データを編集して記録用の記録データを生成する生成工程と、
前記生成工程で生成された前記記録データを前記記録装置に送信して記録を行わせる制御工程と、
を有することを特徴とする制御方法。
【請求項１６】
記録媒体を収容し、前記記録媒体の種類に関する情報を記憶するメモリを有する収容体を装着し、該収容体に収容されている記録媒体に画像を記録する記録装置を制御する記録制御方法であって、
前記収容体を着脱可能に前記記録装置本体に取付けた状態で前記記録装置から前記情報を取得する取得工程と、
前記取得工程で取得した前記情報に基づいて前記画像データを編集して記録用の記録データを生成する生成工程と、
前記生成工程で生成された前記記録データを前記記録装置に送信して記録を行わせる制御工程と、
を有することを特徴とする制御方法。
【請求項１７】
記録媒体を収容し、前記記録媒体に推奨する記録条件に関する情報を記憶するメモリを有する収容体を装着し、該収容体に収容されている記録媒体に画像を記録する記録装置を制御する記録制御方法であって、
前記収容体を着脱可能に前記記録装置本体に取付けた状態で前記記録装置から前記情報を取得する取得工程と、
前記取得工程で取得した前記情報に基づいて前記画像データを編集して記録用の記録データを生成する生成工程と、
前記生成工程で生成された前記記録データを前記記録装置に送信して記録を行わせる制御工程と、
を有することを特徴とする制御方法。
【請求項１８】
記録媒体を収容し、前記記録媒体の使用期限に関する情報を記憶するメモリを有する収容体を装着し、該収容体に収容されている記録媒体に画像を記録する記録装置を制御する記録制御方法を実行するプログラムを記憶する、コンピュータにより読み取り可能な記憶媒体であって、
前記収容体を着脱可能に前記記録装置本体に取付けた状態で前記記録装置から前記情報を取得する取得工程モジュールと、
前記取得工程モジュールで取得した前記情報に基づいて前記画像データを編集して記録用の記録データを生成する生成工程モジュールと、
前記生成工程モジュールで生成された前記記録データを前記記録装置に送信して記録を行わせる制御工程モジュールと、
を有することを特徴とする記憶媒体。
【請求項１９】
記録媒体を収容し、前記記録媒体の種類に関する情報を記憶するメモリを有する収容体を装着し、該収容体に収容されている記録媒体に画像を記録する記録装置を制御する記録制御方法を実行するプログラムを記憶する、コンピュータにより読み取り可能な記憶媒体であって、
前記収容体を着脱可能に前記記録装置本体に取付けた状態で前記記録装置から前記情報を取得する取得工程モジュールと、
前記取得工程モジュールで取得した前記情報に基づいて前記画像データを編集して記録用の記録データを生成する生成工程モジュールと、
前記生成工程モジュールで生成された前記記録データを前記記録装置に送信して記録を行わせる制御工程モジュールと、
を有することを特徴とする記憶媒体。
【請求項２０】
記録媒体を収容し、前記記録媒体に推奨する記録条件に関する情報を記憶するメモリを有する収容体を装着し、該収容体に収容されている記録媒体に画像を記録する記録装置を制御する記録制御方法を実行するプログラムを記憶する、コンピュータにより読み取り可能な記憶媒体であって、
前記収容体を着脱可能に前記記録装置本体に取付けた状態で前記記録装置から前記情報を取得する取得工程モジュールと、
前記取得工程モジュールで取得した前記情報に基づいて前記画像データを編集して記録用の記録データを生成する生成工程モジュールと、
前記生成工程モジュールで生成された前記記録データを前記記録装置に送信して記録を行わせる制御工程モジュールと、
を有することを特徴とする記憶媒体。
【発明の詳細な説明】
【０００１】
【発明の属する技術分野】
本発明は、例えばロール紙などの記録媒体を収容する収容体及び該収容体を有し、その記録媒体に画像を記録する記録装置とその制御方法に関するものである。
【０００２】
【従来の技術】
従来、例えば記録用紙などの記録媒体を用いて、その記録媒体にインクジェット法により画像を記録するインクジェットプリンタ等の記録装置においては、記録に使用する記録用紙をユーザがセットし、そのセットした記録用紙の種類に応じて、ユーザがプリント条件などを設定して記録を行っていた。
【０００３】
また、インクジェットプリンタのコート紙等は、いつまで使用可能であるかの使用期限が存在する。紙の使用期限を過ぎると画質等が劣化する場合がある。インクジェットプリンタに紙を収納した状態でユーザが紙の使用期限を容易に知る手段や紙の使用期限が過ぎたことを容易に知る手段はなかった。
【０００４】
【発明が解決しようとする課題】
（１）最近のインクジェットプリンタの普及に伴い、画質、コスト等といった、その記録時に優先させたい要求を満足させる何種類かの記録媒体（ロール紙等）を収容した収容体を交換可能に装着して使用したいというニーズも高まっている。
【０００５】
しかしながら、このような、プリント条件（▲１▼パス数▲２▼カラム間引きの有無▲３▼画像処理の画質モード等）が異なる様々な種類の記録媒体（ロール紙等）を交換して記録に使用する場合、ユーザが手動でインクジェットプリンタのプリント条件を設定変更する必要があった。また、
（２）インクジェットプリンタのコート紙等は、いつまで使用可能であるかの使用期限が存在する。紙の使用期限を過ぎると画質等が劣化する場合がある。インクジェットプリンタに紙を収納した状態でユーザが紙の使用期限を容易に知る手段や紙の使用期限が過ぎたことを容易に知る手段はなかった。
【０００６】
ここで、インクジェット記録装置において、紙送り量をヘッドのノズル長の１／ｎに設定し、キャリッジのスキャン時に、１／ｎに間引きしたデータをプリントすることをマルチパスと呼ぶ。マルチパスのパス数ｎを増やすと高画質になるが、プリント速度は遅くなる。
【０００７】
また、カラム間引きとは、入力画像データを奇数カラムと偶数カラムに分けて印字する方法である。カラムは、主走査方向（キャリッジのスキャン方向）のインクの着弾位置の順番である。カラム間引きを行なうと、従来と同じインクジェット記録ヘッドの応答周波数で従来のキャリッジ速度の２倍の速度でキャリッジを主走査方向に走査できることになり、スループットを向上することができる。しかし、２パスのように少ないパス数でカラム間引きを行なうと、偶数カラムまたは奇数カラムの少なくともどちらか一方のドット着弾位置がずれた場合において、ドットにより埋まらない領域が主走査方向に規則的に発生し、画像が出力された際、結果として主走査方向に白スジとなって見えてくる。そのため画像の品位が劣化する。インクジェット記録装置において、高画質化と高速化とは相反する課題である。
【０００８】
本出願にかかる目的は下記のような記録媒体の収容体およびこれを有する記録装置とその制御方法を提供することである。
【０００９】
（１）様々な記録媒体の収容体（ロール紙等）を交換して使用しても、記録媒体の収容体の種類を自動的に認識できる。
【００１０】
（２）様々な記録媒体の収容体を交換して使用しても、記録媒体の収容体の推奨するプリント条件を自動的に認識できる。
【００１１】
（３）記録媒体の収容体を使用途中で交換することがあっても、記録媒体の収容体の使用期限を自動的に認識できる。
【００１２】
【課題を解決するための手段】
（１）上記の目的を達成するために本発明の記録装置は以下のような構成を備える。即ち、外部機器から記録に使用する画像データを入力する入力手段と、収容している記録媒体の▲１▼種類又は▲２▼推奨する記録条件又は▲３▼使用期限に関する情報を記憶する記憶手段を有する記録媒体の収容体と、前記記録媒体の収容体を着脱可能に取付けた状態で、前記記憶手段から前記情報を取得する取得手段と、前記取得手段により取得した前記情報に基づいて前記画像データを編集して記録用の記録データを生成する生成手段と、前記生成手段により生成された前記記録データに基づいて記録ヘッドを駆動して記録を行う記録制御手段と、を有することを特徴とする。
【００１３】
（２）上記目的を達成するために本発明の記録媒体に収容体は以下のような構成を備える。即ち、記録装置で使用される記録媒体を収容している記録媒体の収容体であって、前記記録媒体の▲１▼種類又は▲２▼推奨する記録条件又は▲３▼使用期限に関する情報を記憶する記憶手段と、前記記憶手段に記憶されている前記情報を記録装置本体に送信する送信手段とを有することを特徴とする。
【００１４】
（３）上記目的を達成するために本発明の記録装置の制御方法は以下のような工程を備える。即ち、記録媒体を収容し、前記記録媒体の▲１▼種類又は▲２▼推奨する記録条件又は▲３▼使用期限に関する情報を記憶するメモリを有する収容体を装着し、該収容体に収容されている記録媒体に画像を記録する記録装置による記録制御方法であって、外部機器から記録に使用する画像データを入力する入力工程と、前記収容体を着脱可能に前記記録装置本体に取付けた状態で、前記メモリから前記情報を取得する取得工程と、前記取得工程で取得した前記情報に基づいて前記画像データを編集して記録用の記録データを生成する生成工程と、前記生成工程で生成された前記記録データに基づいて記録ヘッドを駆動して記録を行う記録制御工程とを有することを特徴とする。
【００１５】
【発明の実施の形態】
（実施の形態１）
以下、添付する図１〜４を参照して本発明の好適な実施の形態１を詳細に説明する。
【００１６】
図１は、本発明の実施の形態１に係る記録装置の一例であるインクジェットプリンタ３００の構成を示すブロック図である。
【００１７】
本実施の形態に係るインクジェットプリンタ３００はロール紙に画像を記録するインクジェットプリンタであって、そのロール紙に関する情報を記憶するメモリ（ＲＯＭ）１１をロール紙ユニット１００に備え、そのロール紙ユニット１００が装着されている状態で印刷コマンドが入力されると、そのロール紙に関する情報をＲＯＭ１１から読み出し、その読み出した情報に基づいて、そのロール紙への画像の記録を制御する。尚、このロール紙は「記録媒体の集積体」の一例である。
【００１８】
以下、このインクジェットプリンタ３００の構成を説明する。３０１はプリンタ３００全体を制御するＣＰＵ、３０２はＣＰＵ３０１により実行される制御プログラムや各種データを記憶するＲＯＭ、３０３はＲＡＭで、ＣＰＵ３０１による各種制御処理に実行時にワークエリアとして使用され、各データを一時的に保存する。３０５はＡ／Ｄコンバータ（Ａ／Ｄ　Ｃ）で、後述するＬＩＣＣ３１１から入力されるアナログ信号をデジタル信号に変換してＣＰＵ３０１に入力している。３０６はインターフェース部（Ｉ／Ｆ）で、このインクジェットプリンタ３００とホストコンピュータ（ＨＯＳＴ　ＰＣ）２００との間でのデータのやり取りを制御している。３０７はゲートアレイ（ＧＡ）で、ＣＰＵ３０１から受取った印刷用画像データを印刷ヘッド３１５のノズル配列に合せて水平−垂直変換（Ｈ−Ｖ変換）し、その変換した記録データを印刷ヘッド３１５の移動に同期して、印刷ヘッド３１５に出力している。
【００１９】
３０８はメモリ（ＤＲＡＭ）で、ゲートアレイ３０７が画像データをＨ−Ｖ変換する際に、その画像データを一時的に保存するのに使用される。また、ゲートアレイ３０７から印刷ヘッド３１５へ出力する記録データを一時的に蓄えるためのバッファとしても使用される。印刷ヘッド３１５は、例えば複数の色のインクを吐出する複数のインクジェットヘッドを有し、ゲートアレイ３０７によりＨ−Ｖ変換された記録データを受取り、その記録データに応じて、それぞれ対応する印刷ヘッドからインクを吐出させて画像を記録している。ＬＩＣＣ３１１は、印刷ヘッド３１５の抵抗値の個体差を示すランク信号と、印刷ヘッド３１５の温度を示す温度信号をＡ／Ｄコンバータ３０５に出力しており、このＡ／Ｄコンバータ３０５でデジタル信号に変換されたデータ（ランクデータ及び温度データ）はＣＰＵ３０１に入力される。
【００２０】
３０４は操作パネルで、オペレータにより操作される、例えば電源スイッチ、用紙フィードスイッチ、オンラインスイッチ等を備えている。３１６は主電源スイッチで、このインクジェットプリンタ３００のメイン電源（低電圧電源３１７）のオン・オフを行うためのスイッチである。３３０はプリンタ電源ソフトスイッチで、このスイッチ３３０が押下されることにより、このプリンタ３００のソフト的な電源オン・オフを行うことができる。３３１は補助電源で、例えば電池等を含み、低電圧電源３１７の瞬断による誤動作を防止している。
【００２１】
３１４はロール紙駆動モータで、ロール紙を回転駆動して印刷ヘッド３１５による印刷位置に搬送するとともに、印刷処理に応じてロール紙の搬送駆動を行っている。３１３はロール紙駆動モータのドライバＩＣで、ＣＰＵ３０１の指示に応じてロール紙駆動モータ３１４を回転駆動している。３２２及び３２３のそれぞれは、搬送駆動するロール紙を切換えるクラッチ、３２４，３２５のそれぞれは、ＣＰＵ３０１の指示に応じて、それぞれ対応するクラッチ３２２，３２３を駆動するためのクラッチドライバである。３１８は無線通信回路で、ロール紙ユニット１００との間で無線による通信を行っている。
【００２２】
次にロール紙ユニット１００について説明する。
【００２３】
インクジェットプリンタ３００には、ロール紙ユニット１００が着脱可能であり、このロール紙ユニット１００は複数のロール紙を収容することができる。１１はメモリ（ＲＯＭ）で、このロール紙ユニットに収容されているロール紙の特性を記憶している。ＣＰＵ１０は、このロール紙ユニット１００において、メモリ１１からのデータの読み出し、および無線通信回路１２を介して、インクジェットプリンタ３００との間での無線通信を制御している。無線通信回路１２は、インクジェットプリンタ３００の無線通信回路３１８との間で無線通信を実行し、ＣＰＵ１０とＣＰＵ３０１との間で各種データのやり取りを制御している。ロール紙ユニット１００のＲＯＭ１１には、各ロール紙の種類Ｄｍが記憶されて出荷され、この情報は無線によりインクジェットプリンタ３００に送られる。
【００２４】
図２は、本実施の形態１に係るインクジェットプリンタ３００とロール紙ユニット１００との間の無線通信を説明するブロック図である。
【００２５】
図２において、インクジェットプリンタ３００の無線通信回路３１８は、変調・復調回路３１９とエンコーダ・デコーダ３２０とを備えている。変調・復調回路３１９は、インクジェットプリンタ３００に送信するデータを変調及び復調する回路で、位相変調、周波数変調或いは振幅変調を行なう。エンコーダ・デコーダ３２０は、送信するデータをエンコードし、或いは受信したデータをデコードする回路である。変調・復調回路３１９には、この変調・復調回路３１９により変調された信号により駆動されるコイル３２１が接続されている。
【００２６】
一方、ロール紙ユニット１００では、無線通信回路１２は、電圧安定化回路１３，変調・復調回路１４，及びエンコーダ・デコーダ１５を備えている。電圧安定化回路１３と変調・復調回路１４には、コイル１７とコンデンサ１８を有する同調回路が接続されている。
【００２７】
電圧安定化回路１３は、プリンタ３００のコイル３２１から供給される電磁気エネルギがコイル１７で受けられ、このコイル１７に発生する電圧を安定化させる回路である。変調・復調回路１４は、プリンタ３００に送信するデータを変調してコイル１７を駆動すると共に、コイル１７に発生する電圧に基づいて、プリンタ３００から送られてきたデータを復調している。エンコーダ・デコーダ１５は、プリンタ３００に送信するデータをエンコードし、またプリンタ３００からのデータをデコードする。メモリインターフェース部１６は、ＣＰＵ１０の指示に基づいてＲＯＭ１１からデータを読み出してＣＰＵ１０に出力している。これによりＣＰＵ１０は、メモリインターフェース部１６を介してメモリ（ＲＯＭ）１１に記憶されている、対応するロール紙の最大インク受容量Ｄｍを読み取り、インクジェットプリンタ３００のＣＰＵ３０１へ無線通信によって送ることができる。
【００２８】
［インクジェットプリンタ３００のプリント動作説明］
ホストコンピュータ２００からインターフェース部３０６を介してプリントジョブを受信すると、ゲートアレイ（ＧＡ）３０７はＣＰＵ３０１に、そのプリントジョブを受信した旨を通知する。これによりＣＰＵ３０１は、その印刷に使用するロール紙をクラッチ３２２，３２３を切換えることにより選択し、ロール紙駆動モータ３１４を回転駆動してロール紙を搬送するように制御する。またゲートアレイ３０７は、インターフェース部３０６を介してホストコンピュータ２００から受け取った画像データをＨ−Ｖ変換して、これによって生成した記録データをインクを吐出する印刷ヘッド３１５に出力する。このゲートアレイ３０７は、受信した画像データをＨ−Ｖ変換する際、および印刷ヘッド３１５へ出力する記録データを蓄えるためのバッファとしてＤＲＡＭ３０８を使用する。
【００２９】
こうして記録データに応じて印刷ヘッド３１５を駆動することにより、その印刷ヘッド３１５からインクを記録媒体（紙等）へ吐出してプリントする。このとき、ＬＩＣＣ３１１からＡ／Ｄコンバータ３０５を介して送られてくる印刷ヘッド３１５の抵抗値の個体差データであるランクデータと、印刷ヘッド３１５の温度データとをＣＰＵ３０１が受取る。こうして得られた印刷ヘッド３１５の情報を基に印刷ヘッド３１５の駆動を制御して、ロール紙上に画像を記録する。
【００３０】
インクジェットプリンタ３００は、上述の記録データの生成に関して、印刷に使用するロール紙に応じた記録データの生成処理を実行する。即ち、印刷に使用するロール紙のインク吸収度に応じた記録データとするような制御を行う。
【００３１】
次に、本実施の形態に係るインクジェットプリンタにおける動作について、図３及び図４のフローチャートに参照して説明する。
【００３２】
図３は、本実施の形態に係るインクジェットプリンタ３００のＣＰＵ３０１による制御処理を示すフローチャートである。
【００３３】
本実施例において、Ｄｍはロール紙の種類を示し、この情報はＲＯＭ１１に記憶されている。
【００３４】
図３において、まずステップＳ１０１で、プリンタ電源ソフトスイッチ３３０がオンされるとステップＳ１０２に進み、インクジェットプリンタ３００のＣＰＵ３０１は、プリンタ３００に装着されているロール紙ユニット１００に対して、そのユニット１００に収容されているロール紙の種類Ｄｍを送信する様に、無線通信回路３１８を介して無線通信によって送信要求コマンドを送信して要求する。次にステップＳ１０３に進み、その送信要求コマンドに応じて、ロール紙ユニット１００から、装着されているロール紙ユニット１００におけるロール紙の種類Ｄｍを受信するとステップＳ１０４に進み、その受信したロール紙の種類ＤｍをＲＡＭ３０３に記憶する。
【００３５】
この送受信処理を図２を参照して説明すると、ＣＰＵ３０１は、無線通信回路３１８に、送信要求コマンドを出力する。この送信要求コマンドは、エンコーダ・デコーダ３２０に入力されてエンコードされた後、変調・復調回路３１９により変調されて、この変調信号によりコイル３２１が駆動される。
【００３６】
このコイル３２１の変調駆動によりコイル１７に誘導電流が発生し、コイル３２１とコイル１７の巻線比に応じた電圧信号がコンデンサ１８の両端に発生する。この電圧信号は電圧安定化回路１３により安定化され、この電圧信号は更に変調・復調回路１４により復調されエンコーダ・デコーダ１５によりデコードされてＣＰＵ１０に入力される。これによりＣＰＵ１０は、インクジェットプリンタ３００から送信された送信要求コマンドを受取ったことを認識する。
【００３７】
この時のロール紙ユニット１００のＣＰＵ１０による処理が図４のフローチャートで示されている。
【００３８】
ここではステップＳ２０１で、プリンタ３００から送信要求コマンドを受信するとステップＳ２０２に進み、ＲＯＭ１１に記憶されている、そのロール紙に対応する種類Ｄｍを読み出して、それを無線通信回路１２を介してプリンタ３００に送信する。
【００３９】
この場合の動作を図２を参照して説明すると、ＣＰＵ１０は、この送信要求コマンドに応答して、まずＲＯＭ１１に記憶されている、印刷に使用するロール紙に対応する種類Ｄｍを、メモリインターフェース部１６を介して読み取る。この読み取ったロール紙の種類Ｄｍはエンコーダ・デコーダ１５によりエンコードされて変調・復調回路１４に入力される。変調・復調回路１４は、エンコードされたロール紙の種類Ｄｍを基に変調した変調信号を発生し、この変調信号によりコイル１７を駆動する。このコイル１７の変調駆動により、コイル３２１に電磁誘導電流が発生し、この電流に伴う変調信号が変調・復調回路３１９により復調される。この復号された信号は更にエンコーダ・デコーダ３２０によりデコードされて、ロール紙ユニット１００のメモリ１１から読み出されたロール紙の種類Ｄｍに変換される。こうして、インクジェットプリンタ３００のＣＰＵ３０１は、ロール紙ユニット１００から送られたロール紙の種類Ｄｍを受信して取得することができる。
【００４０】
次に再び図３のフローチャートに戻り、ステップＳ１０５では、ホストコンピュータ２００からプリント信号を受信したかを調べ、受信するとステップＳ１０６に進み、ロール紙ユニット１００から受信したロール紙の種類Ｄｍに適したプリント条件で印刷ヘッド３１５を駆動してロール紙にてプリントを行なう。
プリンタ３００のＣＰＵ３０１は、ＲＯＭ３０２にロール紙の種類Ｄｍに適したプリント条件（▲１▼パス数▲２▼カラム間引きの有無▲３▼画像処理の画質モード等）を記憶していて、ロール紙を使用途中で交換することがあっても、ユーザは自動的にロール紙の種類に適したプリント条件でプリントできる。
【００４１】
尚、ステップＳ１０５で、ホストコンピュータ２００からのプリント信号を受信する前に、ステップＳ１０８で、プリンタ電源ソフトスイッチ３３０がオフされるとステップＳ１０９に進み、インクジェットプリンタ３００の低電圧電源３１７をオフにする。
【００４２】
以上説明したように本実施の形態１によれば、ロール紙を収容するロール紙ユニットにロール紙の種類Ｄｍを記憶しておき、このユニット１００がプリンタ３００に装着された状態で、その記憶しているロール紙の種類ＤｍをインクジェットプリンタのＣＰＵへ無線通信により送信する。これによりプリンタのＣＰＵが、印刷に使用するロール紙の種類Ｄｍを把握でき、このロール紙の種類Ｄｍに適したプリント条件（▲１▼パス数▲２▼カラム間引きの有無▲３▼画像処理の画質モード等）でプリントできる。
【００４３】
これにより以下のような効果が得られる。
【００４４】
▲１▼種類が異なる様々な記録媒体（ロール紙等）を交換して使用しても、プリント条件をユーザが手動で設定或いは変更することなしに、使用する記録媒体に最適なプリント条件でプリントできる。これにより、記録媒体の特性にあった高画質なプリントや高速なプリントや経済的なプリントができる。
【００４５】
▲２▼インクジェットプリンタの制御部とロール紙ユニットとの通信を無線通信とすることによって、接点部の腐食による影響を除去でき、信頼性の高い装置を実現できる。
【００４６】
（実施の形態２）
次に本発明の実施の形態２を図１〜４を参照して説明する。
【００４７】
実施の形態２においては、ロール紙ユニット１００のＲＯＭ１１には、ロール紙の推奨するプリント条件（▲１▼パス数▲２▼カラム間引きの有無▲３▼画像処理の画質モード等）が記憶されて出荷され、この情報は無線によりインクジェットプリンタ３００に送られる。すなわち、図３および図４のＤｍはロール紙の推奨するプリント条件（▲１▼パス数▲２▼カラム間引きの有無▲３▼画像処理の画質モード等）を示す。
これにより以下のような効果が得られる。
【００４８】
▲１▼プリンタ発売後に販売開始されたロール紙などの様に、プリンタ３００のＲＯＭ３０２にロール紙の種類に適したプリント条件（▲１▼パス数▲２▼カラム間引きの有無▲３▼画像処理の画質モード等）を記憶してない場合でも、プリント条件が異なる様々な記録媒体（ロール紙等）を交換して使用しても、プリント条件をユーザが手動で設定或いは変更することなしに、使用する記録媒体に最適なプリント条件でプリントできる。これにより、記録媒体の特性にあった高画質なプリントや高速なプリントや経済的なプリントができる。
【００４９】
▲２▼インクジェットプリンタの制御部とロール紙ユニットとの通信を無線通信とすることによって、接点部の腐食による影響を除去でき、信頼性の高い装置を実現できる。
【００５０】
（実施の形態３）
次に本発明の実施の形態３を図１，２，４，５を参照して説明する。
【００５１】
図５は、本実施の形態に係るインクジェットプリンタ３００のＣＰＵ３０１による制御処理を示すフローチャートである。
【００５２】
インクジェットプリンタのコート紙等は、いつまで使用可能であるかの使用期限が存在する。紙の使用期限を過ぎると画質等が劣化する場合がある。
本実施例において、ＤＬはロール紙の使用期限を示し、この情報はＲＯＭ１１に記憶されている。
【００５３】
図３において、まずステップＳ１０１で、プリンタ電源ソフトスイッチ３３０がオンされるとステップＳ１０２に進み、インクジェットプリンタ３００のＣＰＵ３０１は、プリンタ３００に装着されているロール紙ユニット１００に対して、そのユニット１００に収容されているロール紙の使用期限ＤＬを送信する様に、無線通信回路３１８を介して無線通信によって送信要求コマンドを送信して要求する。次にステップＳ１０３に進み、その送信要求コマンドに応じて、ロール紙ユニット１００から、装着されているロール紙ユニット１００におけるロール紙の使用期限ＤＬを受信するとステップＳ１０４に進み、その受信したロール紙の使用期限ＤＬをＲＡＭ３０３に記憶する。ステップＳ１１２で受信したロール紙の使用期限ＤＬをホストコンピュータ２００へ送信する。これによって、ユーザは、ホストコンピュータ２００からロール紙の使用期限がいつまでなのかを知ることができる。
【００５４】
この送受信処理および送受信回路は実施の形態１と同様である。
【００５５】
この時のロール紙ユニット１００のＣＰＵ１０による処理は図４のフローチャートにおいて、ロール紙の種類Ｄｍをロール紙の使用期限ＤＬに置き換えたものである。
【００５６】
ホストコンピュータ２００からプリンタ３００のＣＰＵ３０１は現在の日付けのデータを受け取っているものとする。図５のフローチャートにおいてステップＳ１０７で現在の日付がを過ぎている場合は、ステップＳ１１１でユーザにロール紙の使用期限を過ぎたことを通知する。ステップＳ１０７で現在の日付がを過ぎていない場合は、ステップＳ１０５で、ホストコンピュータ２００からプリント信号を受信したかを調べ、受信するとステップＳ１０６に進み、印刷ヘッド３１５を駆動してロール紙にてプリントを行なう。
【００５７】
尚、ステップＳ１０５で、ホストコンピュータ２００からのプリント信号を受信する前に、ステップＳ１０８で、プリンタ電源ソフトスイッチ３３０がオフされるとステップＳ１０９に進み、インクジェットプリンタ３００の低電圧電源３１７をオフにする。
【００５８】
以上説明したように本実施の形態３によれば、ロール紙を収容するロール紙ユニットにロール紙の使用期限ＤＬを記憶しておき、このユニット１００がプリンタ３００に装着された状態で、その記憶しているロール紙の使用期限ＤＬをインクジェットプリンタのＣＰＵへ無線通信により送信する。これによりプリンタのＣＰＵが、印刷に使用するロール紙の使用期限ＤＬを把握できる。
【００５９】
これにより以下のような効果が得られる。
【００６０】
▲１▼使用期限が異なる記録媒体（ロール紙等）を交換して使用しても、ロール紙の使用期限を自動的に認識できる。これによって、ユーザにロール紙の使用期限を過ぎたことを通知できる。
【００６１】
▲２▼インクジェットプリンタの制御部とロール紙ユニットとの通信を無線通信とすることによって、接点部の腐食による影響を除去でき、信頼性の高い装置を実現できる。
【００６２】
（実施の形態４）
次に本発明の実施の形態４に係るインクジェットプリンタの構成を図６を参照して説明する。
【００６３】
図６は、本発明の実施の形態２に係る記録装置の一例であるインクジェットプリンタの構成を示すブロック図で、前述の図１と共通する部分は同じ記号で示し、その説明を省略する。
【００６４】
この実施の形態２に係るインクジェットプリンタでは、インクジェットプリンタ３００とロール紙ユニット１００との間で、前述の無線による通信に代えて有線によるシリアル通信を行っている点が前述の実施の形態１〜３と異なっている。
【００６５】
図６において、３２６はシリアル通信回路で、プリンタ３００の本体に設けられ、ロール紙ユニット１００との間で有線によるシリアル通信を行う。１９はロール紙ユニット１００に設けられた有線のシリアル通信回路で、プリンタ３００のシリアル通信回路３２６との間で、シリアルによるデータの送受信を実行している。
【００６６】
尚、このインクジェットプリンタ３００のシリアル通信回路３２６と、ロール紙ユニット１００のシリアル通信回路１９とは、ロール紙の軸の外周上に有する電極と、プリンタ３００が有するブラシ上の電極の接触およびケーブル等によって接続されている。
【００６７】
【発明の効果】
以上説明したように本発明の記録媒体の収容体およびこれを有する記録装置とその制御方法によれば、以下の効果がある。
【００６８】
（１）様々な記録媒体の収容体（ロール紙等）を交換して使用しても、記録媒体の収容体の種類を自動的に認識できる。
【００６９】
（２）様々な記録媒体の収容体を交換して使用しても、記録媒体の収容体の推奨するプリント条件を自動的に認識できる。プリンタ発売後に販売開始されたロール紙などの様に、プリンタのＲＯＭにロール紙の種類に適したプリント条件（▲１▼パス数▲２▼カラム間引きの有無▲３▼画像処理の画質モード等）を記憶してない場合でも、プリント条件が異なる様々な記録媒体（ロール紙等）を交換して使用しても、プリント条件をユーザが手動で設定或いは変更することなしに、使用する記録媒体に最適なプリント条件でプリントできる。
【００７０】
（３）記録媒体の収容体を使用途中で交換することがあっても、記録媒体の収容体の使用期限を自動的に認識できる。
【図面の簡単な説明】
【図１】本発明の実施の形態１に係る記録装置の一例を示すインクジェットプリンタの構成を示すブロック図である。
【図２】本実施の形態１に係るインクジェットプリンタにおけるロール紙ユニットとの無線通信を行う構成を説明するブロック図である。
【図３】本発明の実施の形態１に係るインクジェットプリンタのＣＰＵによる処理を示すフローチャートである。
【図４】本実施の形態１に係るロール紙ユニットのＣＰＵにおける処理を示すフローチャートである。
【図５】本発明の実施の形態３に係るインクジェットプリンタのＣＰＵによる処理を示すフローチャートである。
【図６】本発明の実施の形態４に係る記録装置の一例を示すインクジェットプリンタの構成を示すブロック図である。
【図１】
2004122726.tif 000003
【図２】
2004122726.tif 000004
【図３】
2004122726.tif 000005
【図４】
2004122726.tif 000006
【図５】
2004122726.tif 000007
【図６】
2004122726.tif 000008